(57)【要約】      （修正有）【課題】建築現場などで鉛直度を測るために対象部材の適所に固定され、錘をつけた吊り糸を保持する下げ振り保持器を提供する。【解決手段】下げ振り保持器１は、ＳＵＳ材料などからなる１本の線材を折り曲げて形成され、鉛直度を測る物体に固定する１対の係止部２と、錘を吊り下げる糸を巻く糸巻部３とを有する。係止部２をそれぞれコ字状とすることにより、対象部材を挟んだり対象部材に引っ掛けたりが容易にできる。係止部２と糸巻部３との連接箇所４を、糸を縛り付ける際の基点（糸縛り元）とし、糸縛り元４は、対をなす係止部２の開閉の基点となる。糸巻部３の複数箇所に外方に突出した湾曲部３２ａ，３２ｂ，３２ｃ，３２ｄ，３２ｅを設け、錘を着けた糸を吊り下ろす際の糸案内部として且つ巻糸の滑り止めとして使用する。【選択図】図１
0003183504.tif 000002
【実用新案登録請求の範囲】
【請求項１】
弾力性および復元性を備えた素材からなる１本の線材を折り曲げて形成され、鉛直度を測る物体に固定する１対の係止部と、錘を吊り下げる糸を巻く糸巻部とを有することを特徴とする下げ振り保持器。
【請求項２】
前記線材はＳＵＳ材料（Steel Use Stainless）からなることを特徴とする請求項１に記載の下げ振り保持器。
【請求項３】
前記係止部はそれぞれ側面形状がコ字状であることを特徴とする請求項１または２のいずれかに記載の下げ振り保持器。
【請求項４】
前記係止部と前記糸巻部との連接箇所を、前記糸を縛り付ける際の基点（以下、「糸縛り元」）とし、該糸縛り元は、対をなす前記係止部の開閉の基点となることを特徴とする請求項１〜３のいずれか１に記載の下げ振り保持器。
【請求項５】
前記糸巻部は、糸巻部本体と該糸巻部本体の周囲において外側に突出した任意個数の湾曲部とからなり、該湾曲部は錘を着けた糸を吊り下ろす際の糸案内部として且つ巻糸の滑り止めとして使用されることを特徴とする請求項１〜４のいずれか１に記載の下げ振り保持器。
【考案の詳細な説明】
【技術分野】
【０００１】
建築現場などで柱などの鉛直度を測るために対象部材の適所に固定され、錘をつけた吊り糸を保持する下げ振り保持器に関する。
【背景技術】
【０００２】
測量や建築現場で垂直を決めるために下げ振りが用いられる。これは、糸の端に逆円錐形の錘を吊るしたものである。この下げ振りは、対象部材に固定するための道具を使って糸及び錘が物体に接触しないように吊り下げなくてはならない。この下げ振りを固定する下げ振り保持器に関する発明や考案は特許文献１をはじめ多数出願されている。
特許文献１には、物体が鉄骨製の支柱であれば紐固定具に磁石を設け、物体が木製の支柱であれば紐固定具に支柱の内面に打ち込まれる打込針が突設した「下げ振り及びその測定保持具」が開示されている。
【先行技術文献】
【特許文献】
【０００３】
【特許文献１】特開２００４−４５３３７号公報
【考案の概要】
【考案が解決しようとする課題】
【０００４】
鉛直度を測定する対象部材は、木や金属や石などさまざまである。特許文献１の測定保持具は物体が木であれば針を突き刺して下げ振りを固定し、金属であれば磁石で固定しようとする。しかし、同一の建築現場において、測定対象部材には木も金属もありうる。異なるタイプの保持具を準備し、対象部材によって使い分けることは煩雑である。また、アルミなどのように磁石の使えない金属や、石やコンクリートなどの物体には磁石や針では保持具を固定することができない。
そこで、本考案は、物体の素材がどのようなものであっても固定させることが可能な道具を提供することを課題とする。また、多数の工具類とともに現場に持ち歩くことから壊れにくいことが望まれるので、構造が簡単で形状の復元が容易な測定用器具を提供することも課題とする。
【課題を解決するための手段】
【０００５】
上記の目的を達成するために、本考案の下げ振り保持器は、
弾力性および復元性を備えた素材からなる１本の線材を折り曲げて形成され、鉛直度を測る物体に固定する１対の係止部と、錘を吊り下げる糸を巻く糸巻部とを有することを特徴とする。
本考案は、市販の針金を加工して作製することもでき、コスト面で非常に有利である。
係止部で物体に固定させるので、磁石や打込針などは不要であって、構造が単純である。そのため、経験の少ない作業者でも容易に扱うことができる。
なお、「鉛直度を測る物体」とは、柱などの地面に対して垂直に設置しなければならない物体のことであり、本明細書では「対象部材」ともいう。
【０００６】
前記線材はＳＵＳ材料（Steel Use Stainless）からなることが好ましい。
本考案の下げ振り保持器の使用時には、係止部で対象部材を挟んだり、係止部を対象部材に引っ掛けたりするので、係止部は変形しても元の形状に弾性変形することが不可欠である。この点で、堅固であると同時に強度や弾性も大きいＳＵＳは最適である。
【０００７】
本考案の下げ振り保持器の前記係止部はそれぞれ側面形状がコ字状であることが好ましい。コ字状であれば、対象部材をクリップで挟むようにして下げ振り保持器を固定させられるし、また上面に引っ掛けて固定させることも容易である。
【０００８】
本考案の下げ振り保持器は、次のような構造が望ましい。前記係止部と前記糸巻部との連接箇所を、糸巻部に前記糸を縛り付ける際の基点とする。この基点を糸縛り元と名付ける。糸縛り元は、対をなす前記係止部の開閉の基点にもなる。
これにより、使用時は、対象部材の引っ掛ける箇所の形状に応じて対をなす係止部を適切な角度に開くことができる。
【０００９】
前記糸巻部は、糸巻部本体と該糸巻部本体の周囲において外側に突出した任意個数の湾曲部とからなり、これら複数の湾曲部は錘を着けた糸を吊り下ろす際の糸案内部として且つ巻糸の滑り止めとして使用されることが好ましい。
複数ある糸案内部のいずれかに糸をあてがい、そこから錘付きの糸を吊り下ろすのであるが、適切な糸案内部を選択することにより、吊り下げた糸および錘が対象部材と接触しない範囲で付かず離れずの適切な距離をとりやすい。
さらに、湾曲部が有ることによって、次の効果を得ることもできる。すなわち、市販の糸には撚りが掛かっているものが多い。重量のある錘を吊り下げると糸の撚りによって錘が回転してしまい、安定するまで時間がかかる。このように糸の撚りは好ましくないのであるが、糸の使用の仕方によっては、繰り返し使用しているうちに余分な糸の撚りが発生することがある。しかし、本考案では、糸巻部本体の周囲に湾曲部があるため、巻き方と対応したほどき方でしか使用できないので余分な撚りが発生するおそれがない。錘を吊り下げる糸として撚りのない釣り糸が好ましいが、市販の撚りが掛かった糸であっても、本考案であれば、不要な糸の撚りの発生を少なくできる。
【考案の効果】
【００１０】
計測用対象部材がどのような素材（木、金属、石、コンクリート等）でも、使用可能である。
市販の針金などを加工することで安価に且つ容易に製作できる。
構造が単純であるため、変形しても復元容易である。
取り扱いが簡単であり、経験や技能が不要である。
打込みなどの神経を使う作業、細かい作業は発生しない。
【図面の簡単な説明】
【００１１】
【図１】実施の形態の下げ振り保持器の斜視図である。
【図２】実施の形態の下げ振り保持器の平面図である。
【図３】実施の形態の下げ振り保持器の糸を巻きつけた状態を示す説明図である。
【図４】実施の形態の下げ振り保持器で対象部材を挟んで固定させた際の、係止部の開状態を示す説明図である。
【図５】図４の状態を、側面から見た説明図である。
【図６】実施の形態の下げ振り保持器を、対象部材の上部に引っ掛けて固定させた状態を側面から見た説明図である。
【考案を実施するための形態】
【００１２】
以下、図面を参照しながら本考案の一実施の形態の下げ振り保持器１について説明する。
図１には下げ振り保持器１の斜視図を、図２には平面図を示す。
【００１３】
下げ振り保持器１は、１本の金属製の線材を折り曲げて作製したものであり、この線材の両端には側面がコ字状の係止部２が形成され、線材の中間部には糸巻部３が形成され、係止部２と糸巻部３との間の連接部分は糸を縛るための糸縛り元４として使用される。
【００１４】
糸巻部３は、ほぼ平行な２辺からなる糸巻部本体３１と、この糸巻部本体３１の周囲において外側に突出した５つの湾曲部３２（３２ａ、３２ｂ、３２ｃ，３２ｄ，３２ｅ）とからなる。これらの湾曲部３２は、糸巻部本体３１に巻いた糸が滑り落ちることを防止するストッパーの役割をはたすとともに、錘を着けた糸を吊り下ろす際の糸案内部としても使用される。以下、「湾曲部３２」を「糸案内部３２」と表現する。
一般的には、市販の糸には撚りが掛かっている為、錘が糸の撚りによって回転してしまい、錘が安定するまで時間がかかる。これを避けるために、本考案では釣り糸のような単一性のある糸或は撚りによる回転を防止する編み方をした糸を使用することが好ましい。
仮に、市販の撚りが掛かっている糸を使用する場合、糸巻部が円筒状など単純な構造であれば、巻き方とほどき方（例：巻きつけられた糸を横に引っ張り、一度に糸を取外す）が異なった使い方でも使用できるため、使用を繰り返すうちに糸に余分な撚りが発生しやすい。しかし、本考案の糸巻部３は糸を巻く糸巻部本体３１の周囲に外側に向けて突出した糸案内部３２があるので、巻き方と対応したほどき方でしか使用できず、余分な撚りが発生するおそれがない。
【００１５】
下げ振り保持器１は、市販の針金などを折り曲げるだけで作製できる。本考案者は市販のＳＵＳ２．８ｍｍを使用してペンチで加工製作したが、この試作品は所望の機能を発揮することができた。したがって、材料費も製作費も廉価である。
【００１６】
次に、下げ振り保持器１の使用について説明する。
対象部材が垂直か否かの判定を次のように行う。
図３に示すように、使用時には糸巻部本体３１に糸６を適度な長さ以上に巻きつけておき、逆円錐形の錘５を一方の端部に取り着けた糸６を、糸６の錘５を吊下げる部分が適当な長さになったところで、糸案内部３２の任意の部分に引っ掛ける。一方の端部２１は遊端部となっていることから、糸縛り元４を基点に係止部２同士の開閉が自在にできる（図４を参照）。
【００１７】
下げ振り保持器１を対象部材に固定させるには、係止部２で対象部材を挟む或は係止部２を対象部材に引っ掛ければよい。
図４は対象部材７を係止部２で挟んで固定させた状態を対象部材７の上方から見た図である。このように、対象部材７の大きさによって、一対の係止部２を任意の角度θに開いて下げ振り保持器１を確実に対象部材７に固定させる。下げ振り保持器１はＳＵＳのような強度が大きく、変形しても容易に復元する素材からなるので、係止部２を開いて対象部材７を挟むと元の閉じた状態に戻ろうとする力が働く。その結果、対象部材７を締め付け、確実に下げ振り保持器１を固定させることができる。
【００１８】
図４のように対象部材７の適当な箇所を係止部２で挟んだならば、糸６を５つある糸案内部３２のいずれか一つにあてがい、一端に取り着けた錘５をゆっくりと吊り下ろす。図４の例では、糸巻部本体３１の下方から糸案内部３２ｃの上方に糸６を掛け渡し、糸案内部３２ｃの外周の適当な箇所から糸６を下方に吊り下ろしている。ここで、糸６を吊り下ろす際に糸案内部３２ｃに掛けるだけで滑り止めとなるので、吊り下げ元において糸６を巻き付ける必要はない。これも建築現場での作業を円滑に進めるための工夫のひとつである。
複数ある糸案内部３２のどれを選択するかは、対象部材７と糸６との距離を考慮して決めればよい。このように、糸を吊り下ろす箇所に自由度がある点も本考案の特徴のひとつである。なお図４では糸案内部３２は５つあるが、任意個数で良い。
図５に示すように係止部２と糸巻部３との連接部分４の角が錘５の重みで対象部材７に当たり強固に固定される。連接部分４の角が対象部材７に当たるのにともない、糸巻部３は対象部材７の外側の斜め下に突出する。
【００１９】
糸６及び錘５の揺れが収まったならば、吊り下ろされた糸６の上部と対象部材７との距離、および糸６の下部と対象部材７との距離を計測する。これらの値が等しければ対象部材７が垂直に設置されていると判断できる。
対象部材７が垂直か否かの確認を終了したならば、対象部材７から係止部２を取り外すことで鉛直度測定作業は完了である。
なお、対象部材７から取外された係止部２は、ＳＵＳ材料の復元力の高さによってただちに元の状態（図３を参照）に戻る。
【００２０】
図６は、対象部材７に係止部２を、上面に引っ掛けた状態を側面から見た図である。
図６の（ａ）では、係止部２の線材が対象部材７を挟み込むかたちで係止し、（ｂ）では対象部材７の側面に当接させるかたちで係止する。つまり（ａ）（ｂ）ともに、対象部材が太くはないので跨ぐことは出来るが、（ｂ）は細すぎるということである。図４・図５の状態からは、蝉などが木にしがみつく様子をイメージするが、図６の状態からは、カニの足の爪が物を引っ掛けている様子をイメージする。
【００２１】
図６の（ａ）、（ｂ）のように対象部材７の上面部に係止部２を跨ぐように固定できたならば、糸巻部３は対象部材７の外側にほぼ水平に突出する。この状態で鉛直度測定作業を行う。この作業は、図４および図５に示すように対象部材７の適当な箇所を係止部２で挟みつけた場合と同様なので、説明は省略する。
【００２２】
対象部材７の係止部２を固定させようとする箇所の形状によっては、図６の（ａ）、（ｂ）のように対象部材７に係止部２を跨ぐように水平状態で被せることができないことがある。その場合は、図６の（ｃ）に示すように対象部材７の角に係止部２を斜めに引っ掛ければよい。係止部２の遊端部２１は対象部材７の面と点接触することになるが、対象部材７の素材が木製のように金属ほど硬くはないならば遊端部２１の角が対象部材７に食い込むので係止部２は対象部材７に止まることができる。食い込みやすくするために、遊端部２１の表面は滑らかに加工せず、切断時に発生する鋭端部をそのまま残したり、針先状に尖らしたりするとよい。
これに対し、対象部材７が金属製のように硬い素材であれば、係止部２の遊端部２１が当接する箇所の表面に適宜養生テープなどを貼って滑り止めとし、この滑り止めの上に遊端部２１を当接させればよい。
【００２３】
このように、本考案の下げ振り保持器１であれば、磁石が無くても金属製の対象部材７に固定させることができ、内部に突き刺すための針がなくても木製の対象部材７に固定させることができる。また、下げ振り保持器１を使用すれば、固定させる箇所を自在に変更でき、対象部材７の適切な箇所で鉛直度を測ることができる。しかも、対象部材７が何であれ、挟む或いは引っ掛けるという動作で使いこなせるので、経験の乏しい作業者でも容易に扱うことができる。さらに、きわめて簡単な構造なので、多少の変形でも機能を復元しやすく、建築現場などでの粗略な扱いにも耐えることができる。
【００２４】
上記の実施の形態は本考案の例示にすぎない。
たとえば、針金などを折り曲げて製作するに限らず、射出成型などの製法を採用してもよい。素材は、加工が容易で弾力性および復元性があればＳＵＳ材料に限定するものではなく、良好な復元性を得る為に形状記憶合金を利用してもよい。
また、上記の実施の形態では、図３に示すように、糸６を糸縛り元４で縛り、一対の係止部２の根元を結止していた。しかし、必ずしも糸縛り元４で縛らなくてもよい。糸巻部本体３１において糸６をきつく巻くならば、一対の係止部２の根元を結止したのも同然の効果を生ずるからである。
さらに、計測対象部材が多岐に渡るような会社であれば、それぞれに応じた大きさの下げ振り保持器１を準備しておけばよい。
【産業上の利用可能性】
【００２５】
安価で取り扱いが簡単で、測定対象部材の材質が何であっても使用できるので、使い勝手のよい道具として建築現場などでの需要が期待できる。
【符号の説明】
【００２６】
１：下げ振り保持器
２：係止部
２１：遊端部
３：糸巻部
３１：糸巻部本体
３２（３２ａ，３２ｂ，３２ｃ，３２ｄ，３２ｅ）：糸案内部
４：糸縛り元
５：錘
６：糸
７：対象部材
【図１】
0003183504.tif 000003
【図２】
0003183504.tif 000004
【図３】
0003183504.tif 000005
【図４】
0003183504.tif 000006
【図５】
0003183504.tif 000007
【図６】
0003183504.tif 000008